(57)【要約】【課題】磁気テープを巻き取った状態においても磁気テープの端部とフランジとの間のクリアランスを十分に確保し得るテープリールを提供する。【解決手段】円板状の下フランジ２２が下端部に一体形成されて上端部側に開口部が形成された有底円筒状のハブ２１と、中心孔３１ａの口縁部に突出形成された環状の突起部３２をハブ２１の開口部に嵌め込んで固定される円板状の上フランジ３１とを備えて構成され、ハブ２１は、内周面の上下方向に沿って内周面からハブの中心軸Ｓに向けてそれぞれ突出形成された複数の補強用リブ２１ｂ，２１ｂ・・と、各補強用リブ２１ｂ，２１ｂ・・の先端部に連結されると共に内周面に対向するようにして形成された補強用壁部材２１ｇとを備えて構成されている。【選択図】図５
2005339668.tif 000002
【特許請求の範囲】
【請求項１】
円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、
前記ハブは、内周面の上下方向に沿って当該内周面から当該ハブの中心軸に向けてそれぞれ突出形成された複数の補強用リブと、前記各補強用リブの先端部に連結されると共に前記内周面に対向するようにして形成された補強用壁部材とを備えて構成されているテープリール。
【請求項２】
前記上フランジは、前記突起部に形成された環状鍔部を備えて構成されている請求項１記載のテープリール。
【請求項３】
前記上フランジは、前記中心孔の前記口縁部が当該口縁部を除く他の部分よりも厚肉に形成されて構成されている請求項１記載のテープリール。
【請求項４】
前記上フランジは、前記中心孔を取り囲むようにして平面視環状の溝が前記口縁部の上面に形成されると共に当該溝内に形成された複数のリブを備えて構成されている請求項３記載のテープリール。
【請求項５】
前記上フランジは、前記中心孔を取り囲むようにして平面視環状の溝が前記突起部の下面に形成されると共に当該溝内に形成された複数のリブを備えて構成されている請求項３記載のテープリール。
【請求項６】
請求項１から５のいずれかに記載のテープリールを備えている情報記録媒体。
【発明の詳細な説明】
【技術分野】
【０００１】
本発明は、情報記録用の磁気テープを巻回するテープリールおよびそのテープリールを備えた情報記録媒体に関するものである。
【背景技術】
【０００２】
大容量のデータを記録可能な情報記録媒体として、出願人は、特開２００２−１００１４８号公報において、ＬＴＯ（Linear Tape Open）規格に準拠した１リールタイプのテープカートリッジを開示している。このテープカートリッジは、互いに嵌合可能な上ケースおよび下ケースを有する本体ケース、並びに本体ケースの内部に回転可能に収納されてテープを巻回する単一のテープリールなどを備えて構成されている。この場合、テープリールは、上フランジと、その下端部に下フランジが一体形成された有底円筒状のハブとを備えて構成されている。
【特許文献１】特開２００２−１００１４８号公報（第３頁、第１図）
【発明の開示】
【発明が解決しようとする課題】
【０００３】
ところが、出願人が開示しているテープカートリッジには、以下の解決すべき課題がある。すなわち、このテープカートリッジにおけるテープリールは、樹脂を射出成形することによって製造されている。この場合、巻回時におけるテープの傷付きや伸びの発生を防止するためには、ハブの外周面を滑らかに形成するのが好ましい。したがって、射出成形時における「ひけ」によってハブの外周面に凹凸が発生するのを防止するために、このテープリールのハブは比較的肉薄に形成されている。一方、テープリールにテープを巻回する際には、緩みによるしわの発生を防止するために、テープに一定のテンションが加えられている。このため、テープを巻き取った状態では、テープの巻き締まりによってハブに大きな力が加わっている。この結果、図１２に示すように、肉薄に形成されたハブ（３２）がその力によってやや変形させられて、その変形に伴って上フランジ（３１）の先端部が下向きに傾くと共に、下フランジ（３３）が上向きに傾くことがある。したがって、このテープカートリッジには、テープリール（３）における上フランジ（３１）および下フランジ（３３）の先端部が傾くことに起因して、上フランジ（３１）および下フランジ（３３）とテープ（Ｔ）の端部との接触を回避するのに十分な両者間のクリアランスを確保するのが困難となるおそれがあるという解決すべき課題が存在する。
【０００４】
本発明は、かかる解決すべき課題に鑑みてなされたものであり、磁気テープを巻き取った状態においても磁気テープの端部とフランジとの間のクリアランスを十分に確保し得るテープリールおよび情報記録媒体を提供することを主目的とする。
【課題を解決するための手段】
【０００５】
上記目的を達成すべく本発明に係るテープリールは、円板状の下フランジが下端部に一体形成されて上端部側に開口部が形成された有底円筒状のハブと、中心孔の口縁部に突出形成された環状の突起部を前記ハブの前記開口部に嵌め込んで固定される円板状の上フランジとを備えて構成され、前記ハブは、内周面の上下方向に沿って当該内周面から当該ハブの中心軸に向けてそれぞれ突出形成された複数の補強用リブと、前記各補強用リブの先端部に連結されると共に前記内周面に対向するようにして形成された補強用壁部材とを備えて構成されている。
【０００６】
この場合、前記突起部に形成された環状鍔部を備えて前記上フランジを構成することができる。
【０００７】
また、前記中心孔の前記口縁部を当該口縁部を除く他の部分よりも厚肉に形成して前記上フランジを構成することができる。
【０００８】
また、前記中心孔を取り囲むようにして平面視環状の溝を前記口縁部の上面に形成すると共に当該溝内に形成した複数のリブを備えて前記上フランジを構成することもできる。
【０００９】
さらに、前記中心孔を取り囲むようにして平面視環状の溝を前記突起部の下面に形成すると共に当該溝内に形成した複数のリブを備えて前記上フランジを構成することもできる。
【００１０】
また、本発明に係る情報記録媒体は、上記のテープリールを備えている。
【発明の効果】
【００１１】
本発明に係るテープリールおよび情報記録媒体によれば、ハブの内周面に複数の補強用を上下方向に沿って形成すると共に、補強用リブの先端部に連結しかつハブの内周面に対向する補強用壁部材をハブ内に形成したことにより、ハブの中心軸に向かって加わる力に対するハブの剛性を十分に高めることができるため、磁気テープの巻き締まりによってハブに大きな力が加わったとしても、ハブを非変形状態または僅かな変形状態に維持することができる。したがって、ハブの変形に伴う下フランジおよび上フランジの磁気テープ側への傾きを防止することができるため、磁気テープを巻き取った状態においても磁気テープの先端部と両フランジとの間のクリアランスを十分に確保することができる。
【００１２】
また、本発明に係るテープリールおよび情報記録媒体によれば、上フランジにおける突起部に環状鍔部を形成したことにより、たとえハブが僅かに変形したとしても、環状鍔部によって突起部をその内側から確実に支えることができるため、ハブの変形に伴う上フランジの磁気テープ側への傾きを確実に防止することができる結果、上フランジの先端部と磁気テープとの間の十分なクリアランスを確実に確保することができる。
【００１３】
また、本発明に係るテープリールおよび情報記録媒体によれば、上フランジにおける中心孔の口縁部を他の部分よりも厚肉に形成したことにより、上フランジにおける口縁部に十分な剛性を持たせることができるため、たとえハブが僅かに変形したとしても、ハブの変形に伴う上フランジの磁気テープ側への傾きを確実に防止することができる。
【００１４】
さらに、本発明に係るテープリールおよび情報記録媒体によれば、上フランジの中心孔を取り囲むようにして平面視環状の溝を中心孔における口縁部の上面に形成すると共にその溝内に複数のリブを形成したことにより、口縁部の剛性を確保しつつ、上フランジの軽量化、および口縁部におけるひけの発生防止を図ることができる。
【００１５】
また、本発明に係るテープリールおよび情報記録媒体によれば、上フランジの中心孔を取り囲むようにして平面視環状の溝を中心孔における口縁部の下面に形成すると共にその溝内に複数のリブを形成したことにより、口縁部の剛性を確保しつつ、上フランジの軽量化、および突起部におけるひけの発生防止を図ることができる。
【発明を実施するための最良の形態】
【００１６】
以下、本発明に係るテープリールおよび情報記録媒体の最良の形態について、添付図面を参照して説明する。
【００１７】
最初に、情報記録媒体１の構成について、図面を参照して説明する。
【００１８】
図１に示す情報記録媒体１は、例えば、電子計算機に記録された記録データをバックアップするためのストレージデバイスとして使用されるＬＴＯ規格に準拠した１リールタイプのカートリッジ式の情報記録媒体であって、同図に示すように、ケース本体２、テープリール３、ブレーキ解除板４、ロック部材５、ブレーキスプリング６およびドア部材７を備えて構成されている。なお、実際には、この情報記録媒体１では、テープリール３に磁気テープＴ（図４参照）が巻回されているが、同図では、各部の構成についての理解を容易とするために、その図示を省略する。
【００１９】
ケース本体２は、図１に示すように、それぞれ浅皿状に形成されて互いに嵌合可能な下ケース１１および上ケース１２を備えて構成され、両ケース１１，１２の嵌合状態において形成される内部空間にテープリール３を回転可能に収容する。この場合、下ケース１１および上ケース１２には、テープリール３に巻回された磁気テープＴ（図４参照）を外部に引き出すためのテープ引き出し口２ａを構成する切り欠き１１ａ，１２ａがそれぞれ形成されている。
【００２０】
テープリール３は、図２，５に示すように、ハブ２１、下フランジ２２および上フランジ３１を備えて構成されている。ハブ２１は、上端部側に開口部が形成された有底円筒状に形成されて、その周囲に磁気テープＴを巻回可能に構成されている。また、図３，５に示すように、ハブ２１における胴部２１ａの内周面には、複数の補強用リブ２１ｂ，２１ｂ・・が上下方向（上端部から下端部に向かう方向）に沿って等間隔にハブ２１の中心軸Ｓに向けて突出形成されている。また、胴部２１ａ内には、補強用リブ２１ｂ，２１ｂ・・の各先端部に連結すると共に胴部２１ａの内周面に対向するようにして、薄板状の３つの補強用壁部材２１ｇ，２１ｇ，２１ｇが形成されている。また、図２，３，５に示すように、ハブ２１の底板２１ｃにおける内面（上面）には、ブレーキスプリング６によって付勢されたロック部材５（いずれも図１参照）に噛合可能な平面視円弧状の歯部２１ｄ，２１ｄ，２１ｄが形成されている。さらに、ハブ２１の底板２１ｃには、ブレーキ解除板４を上下動可能に取り付けるための挿通用孔２１ｅ，２１ｅ，２１ｅが形成されている。また、図２に示すように、ハブ２１の底板２１ｃにおける外面（下面）には、図外のドライブ装置の駆動用シャフトがテープリール３を吸引するための金属板２３（図１も参照）が取り付けられている。また、底板２１ｃにおける外面には、ドライブ装置の駆動用シャフトの歯部に噛合可能な環状の歯部２１ｆが金属板２３を取り囲むようにして形成されている。下フランジ２２は、図５に示すように、円板状に構成されてハブ２１の下端部に一体成形されている。
【００２１】
上フランジ３１は、図２，４，５に示すように、円板状に構成されると共に、円形の中心孔３１ａがその中心部に形成されている。また、上フランジ３１における中心孔３１ａの口縁部には、環状の突起部３２が下方に向けて突出形成されている。さらに、突起部３２の下端部には、ロック部材５およびブレーキ解除板４の挿通を可能とする中心孔３３ａがその中心部に形成された円板状（環状）の環状鍔部３３が上フランジ３１とほぼ平行となるようにして一体形成されている。この場合、図２に示すように、ハブ２１と上フランジ３１とは、胴部２１ａにおける上端部の開口部に突起部３２を嵌め込んだ状態で例えば超音波溶着で互いに固定されている。
【００２２】
ブレーキ解除板４は、図１に示すように、ハブ２１の挿通用孔２１ｅに挿通可能な３本の脚部４ａ，４ａ，４ａがその裏面に立設されて構成されている。この場合、ブレーキ解除板４は、脚部４ａ，４ａ，４ａがハブ２１の挿通用孔２１ｅ，２１ｅ，２１ｅにそれぞれ挿通されることによって回転不能でかつ上下動可能にハブ２１の底板２１ｃ側に取り付けられる。ロック部材５は、同図に示すように、ハブ２１の歯部２１ｄ，２１ｄ，２１ｄに噛合可能な歯部５ａがその底面に形成されている。この場合、ロック部材５は、ブレーキスプリング６によって付勢されて歯部５ａがハブ２１の歯部２１ｄ，２１ｄ，２１ｄに噛合させられることによってテープリール３の回転を制止する。ブレーキスプリング６は、コイルスプリングで構成されて、上ケース１２とロック部材５との間に配設され、テープリール３におけるハブ２１の底板２１ｃ側に向けてロック部材５を付勢する。ドア部材７は、同図に示すように、テープ引き出し口２ａを閉塞可能な薄板状に形成されて、下ケース１１の側壁および上ケース１２の側壁にそれぞれ形成された案内溝にスライド可能に収納される。
【００２３】
次に、記録再生時における情報記録媒体１の動作について、図面を参照して説明する。
【００２４】
この情報記録媒体１を図外のドライブ装置に装填した際には、ドライブ装置が、ドア部材７をスライドさせてテープ引出し口２ａを開口して、磁気テープＴを引き出す。次に、ドライブ装置側のテープリールが磁気テープＴを巻回しつつ、ドライブ装置の記録再生部が磁気テープＴに対する記録データの記録や磁気テープＴからの記録データの読み出しを実行する。次いで、記録データの記録や読み出しを終了した際には、ドライブ装置は、テープリール３を回転させることによって磁気テープＴの巻回（情報記録媒体１への磁気テープＴの巻き戻し）を開始する。この場合、ドライブ装置は、緩みを防止するために、例えば、ドライブ装置側のテープリールの回転を制御することによって磁気テープＴに一定のテンションを加える。これにより、磁気テープＴがテープリール３に巻回される。この際に、磁気テープＴにテンションが加えられているため、磁気テープＴの巻き締まりによってハブ２１の胴部２１ａにはその中心方向に向けてある程度大きな力が加えられる。一方、ハブ２１は、胴部２１ａの内周面に突出形成された補強用リブ２１ｂ，２１ｂ・・と、補強用リブ２１ｂ，２１ｂ・・の各先端部に連結された補強用壁部材２１ｇ，２１ｇ，２１ｇとを備えている。このため、ハブ２１は、十分な剛性を有している。したがって、ハブ２１は、磁気テープＴの巻き締まりによって胴部２１ａに大きな力が加えられたとしても、図４に示すように、その力に抗して非変形状態を維持する。また、たとえ変形したとしても、僅かな変形に抑えられた状態を維持する。したがって、下フランジ２２における先端部の上側向き（磁気テープＴの端面側向き）の傾きが防止される。さらに、環状鍔部３３が一体形成されているため、上フランジ３１も十分な剛性を有している。したがって、たとえハブ２１が僅かに変形したとしても、ハブ２１の変形に伴う上フランジ３１における先端部の下側向き（磁気テープＴの端面側向き）の傾きが確実に回避される。この結果、下フランジ２２および上フランジ３１の先端部と磁気テープＴとの間の十分なクリアランスが確保される。
【００２５】
このように、このテープリール３および情報記録媒体１によれば、ハブ２１における胴部２１ａの内周面に複数の補強用リブ２１ｂ，２１ｂ・・を上下方向に沿って形成すると共に、補強用リブ２１ｂ，２１ｂ・・の先端部に連結すると共に胴部２１ａの内周面に対向する補強用壁部材２１ｇ，２１ｇ，２１ｇを胴部２１ａ内に形成したことにより、中心軸Ｓに向かって加わる力に対するハブ２１の剛性を十分に高めることができるため、磁気テープＴの巻き締まりによって胴部２１ａに大きな力が加わったとしても、ハブ２１を非変形状態または僅かな変形状態に維持することができる。したがって、ハブ２１の変形に伴う下フランジ２２および上フランジ３１の磁気テープＴ側への傾きを防止することができるため、磁気テープを巻き取った状態においても下フランジ２２および上フランジ３１と磁気テープＴの先端部との間のクリアランスを十分に確保することができる。
【００２６】
また、上フランジ３１における突起部３２の下端部に環状鍔部３３を形成したことにより、たとえハブ２１が僅かに変形したとしても、環状鍔部３３によって突起部３２をその内側から確実に支えることができるため、ハブ２１の変形に伴う上フランジ３１の磁気テープＴ側への傾きを確実に防止することができる結果、上フランジ３１の先端部と磁気テープＴとの間の十分なクリアランスを確実に確保することができる。
【００２７】
なお、本発明は、上記の構成に限定されない。例えば、テープリール３における上フランジ３１に代えて、図６に示す上フランジ４１を採用することもできる。この場合、上フランジ４１は、同図に示すように、円板状に構成されると共に、円形の中心孔４１ａがその中心部に形成されている。また、図７に示すように、上フランジ４１の下面側における中心孔４１ａの口縁部には、突起部４２が下方に向けて突出形成されている。さらに、図６，７に示すように、上フランジ４１の上面側における中心孔４１ａの口縁部には、補強用突起部４３が上方に向けて突出形成されている。つまり、上フランジ４１における中心孔４１ａの口縁部は、上フランジ４１における他の部分よりも厚肉に形成されている。この上フランジ４１によれば、口縁部を他の部分よりも厚肉に形成したことにより、口縁部に十分な剛性を持たせることができるため、たとえハブ２１が僅かに変形したとしても、ハブの変形に伴う上フランジ４１の磁気テープ側への傾きを確実に防止することができる。
【００２８】
また、上フランジ３１に代えて、図８に示す上フランジ５１を採用することもできる。この場合、上フランジ５１は、同図に示すように、円板状に構成されると共に、円形の中心孔５１ａがその中心部に形成されている。また、図９に示すように、上フランジ５１の下面側における中心孔５１ａの口縁部には、突起部５２が下方に向けて突出形成されている。さらに、図８，９に示すように、上フランジ５１の上面側における中心孔５１ａの口縁部には、補強用突起部５３が上方に向けて突出形成されている。つまり、上フランジ５１における中心孔５１ａの口縁部は、上フランジ５１における他の部分よりも厚肉に形成されている。また、両図に示すように、補強用突起部５３には、中心孔５１ａを取り囲むようにして平面視環状の溝５４が形成されている。また、溝５４内には、上フランジ５１の外縁部側の側壁と中心孔５１ａ側の側壁とを連結する壁状の複数のリブ５５，５５・・が形成されている。この上フランジ５１においても、口縁部を他の部分よりも厚肉に形成したことにより、口縁部に十分な剛性を持たせることができるため、たとえハブが僅かに変形したとしても、ハブの変形に伴う上フランジ５１の磁気テープ側への傾きを確実に防止することができる。また、補強用突起部５３に溝５４を形成すると共に溝５４内に複数のリブ５５，５５・・を形成したことにより、口縁部の剛性を確保しつつ、上フランジ５１の軽量化、および補強用突起部５３における「ひけ」の発生防止を図ることができる。
【００２９】
さらに、上フランジ３１に代えて、図１０に示す上フランジ６１を採用することもできる。この場合、上フランジ６１は、上フランジ５１と同様にして、円板状に構成されると共に、円形の中心孔６１ａがその中心部に形成されている。また、同図に示すように、上フランジ６１の下面側における中心孔６１ａの口縁部には、突起部６２が下方に向けて突出形成され、上フランジ６１の上面側における中心孔６１ａの口縁部には、補強用突起部６３が上方に向けて突出形成されている。さらに、突起部６２の下面には、平面視環状の溝６４が形成されて、この溝６４内には、上フランジ６１の外縁部側の側壁と中心孔６１ａ側の側壁とを連結する壁状の複数のリブ６５，６５・・が形成されている。この上フランジ６１においても、口縁部を他の部分よりも厚肉に形成したことにより、口縁部に十分な剛性を持たせることができる。また、突起部６２に溝６４を形成すると共に溝６４内に複数のリブ６５，６５・・を形成したことにより、口縁部の剛性を確保しつつ、上フランジ６１の軽量化、および突起部６２における「ひけ」の発生防止を図ることができる。
【００３０】
また、上フランジ３１に代えて、図１１に示すように、環状鍔部３３を有していない上フランジ７１を採用することもできる。また、ＬＴＯ規格に準拠した情報記録媒体１を例に挙げて説明したが、本発明に係る情報記録媒体には、ＤＬＴ（Digital Linear Tape ）規格に準拠した情報記録媒体やＳＤＬＴ（Super Digital Linear Tape ）規格に準拠した情報記録媒体などの各種の１リールタイプの情報記録媒体が含まれる。また、１リールタイプに限定されず、ビデオテープ等の２リールタイプの情報記録媒体に本発明を適用することもできる。
【図面の簡単な説明】
【００３１】
【図１】情報記録媒体１の分解斜視図である。
【図２】テープリール３の断面図である。
【図３】ハブ２１および下フランジ２２の平面図である。
【図４】磁気テープＴを巻回したテープリール３の断面図である。
【図５】テープリール３の分解斜視図である。
【図６】上フランジ４１の斜視図である。
【図７】上フランジ４１の断面図である。
【図８】上フランジ５１の平面図である。
【図９】上フランジ５１の断面図である。
【図１０】上フランジ６１の断面図である。
【図１１】上フランジ７１の斜視図である。
【図１２】従来のテープリール（３）の断面図である。
【符号の説明】
【００３２】
１  情報記録媒体
３  テープリール
２１  ハブ
２１ｂ  補強用リブ
２１ｇ  補強用壁部材
２２  下フランジ
３１，４１，５１，６１，７１  上フランジ
３１ａ，４１ａ，５１ａ，６１ａ  中心孔
３２，４２，５２，６２  突起部
３３  環状鍔部
４３，５３，６３  補強用突起部
５５，６５  リブ
５４，６４  溝
Ｓ  中心軸
Ｔ  磁気テープ
【図１】
2005339668.tif 000003
【図２】
2005339668.tif 000004
【図３】
2005339668.tif 000005
【図４】
2005339668.tif 000006
【図５】
2005339668.tif 000007
【図６】
2005339668.tif 000008
【図７】
2005339668.tif 000009
【図８】
2005339668.tif 000010
【図９】
2005339668.tif 000011
【図１０】
2005339668.tif 000012
【図１１】
2005339668.tif 000013
【図１２】
2005339668.tif 000014